(57)【特許請求の範囲】
【請求項１】
加湿空間中に複数台の加湿器が設置され、各加湿器が給水電磁弁と加湿材と加湿動作制御部と送風機とを備え、各加湿器が加湿運転中に給水電磁弁を閉止し、加湿材の乾燥運転を行うようにした加湿装置であって、
各加湿器の加湿動作制御部にアドレスが設定され、アドレス順に一台づつ又は複数台の加湿器が一定の時間差で給水電磁弁を閉止し、乾燥運転を行うことを特徴とする加湿装置。
【請求項２】
加湿空間中に複数台の加湿器が設置され、各加湿器が給水電磁弁と加湿材と加湿動作制御部と送風機とを備え、各加湿器が加湿運転中に給水電磁弁を閉止し、加湿材の乾燥運転を行うようにした加湿装置であって、
各加湿器の加湿動作制御部にアドレスが設定され、アドレス順に一台づつ又は複数台の加湿器が一定の時間差で一定時間加湿運転後に給水電磁弁を閉止し、乾燥運転を行う
ことを特徴とする加湿装置。
【請求項３】
各加湿器が加湿運転と乾燥運転を繰返し行うことを特徴とする上記請求項１又は２に記載の加湿装置。
【請求項４】
加湿空間中に複数台の加湿器が設置され、各加湿器が給水電磁弁と加湿材と加湿動作制御部と送風機とを備え、各加湿器が加湿運転中に給水電磁弁を閉止し、加湿材の乾燥運転を行うようにした加湿装置であって、
加湿空間の湿度により加湿運転の指示がされると共に、一定時間の加湿運転中に加湿要求の指示停止による給水電磁弁の閉止の有無を検知し、電磁弁の閉止があった際には一定時間経過後に乾燥運転を行わない加湿器を含むことを特徴とする加湿装置。
【請求項５】
加湿空間中に複数台の加湿器が設置され、各加湿器が給水電磁弁と加湿材と加湿動作制御部と送風機とを備え、各加湿器が加湿運転中に給水電磁弁を閉止し、加湿材の乾燥運転を行うようにした加湿装置であって、
加湿空間の湿度により加湿運転の指示がされると共に、一定時間の加湿運転中に加湿要求の指示停止による給水電磁弁が閉止されている時間が一定の閉止時間以上であった際には、一定時間経過後に乾燥運転を行わない加湿器を含むことを特徴とする加湿装置。
【請求項６】
加湿空間中に複数台の加湿器が設置され、各加湿器が給水電磁弁と加湿材と加湿動作制御部と送風機とを備え、各加湿器が加湿運転中に給水電磁弁を閉止し、加湿材の乾燥運転を行うようにした加湿装置であって、
加湿空間の湿度により加湿運転の指示がされると共に、一定時間の加湿運転中に加湿要求の指示停止による給水電磁弁が閉止されている時間を積算し、閉止時間が一定の閉止時間以上であった際には一定時間経過後に乾燥運転を行わない加湿器を含むことを特徴とする加湿装置。
【発明の詳細な説明】
【技術分野】
【０００１】
本発明は、加湿空間に複数台の加湿器が設置され、この複数台の加湿器の加湿運転及び加湿材の乾燥運転を制御する加湿装置に関する。
【背景技術】
【０００２】
気化式の加湿器は、加湿材に水分を湿潤させ、この加湿材に空気を流通させることにより水分を気化させ、この気化した水分を加湿空間中に放出することで、加湿空間の湿度を調整する機器である。この加湿器の加湿材は常に水分を含む状態にあると、加湿材にぬめりや臭気が発生し衛生的に好ましくない。
このぬめりや臭気の発生を抑制するために、加湿器の運転を停止した時に、加湿材を乾燥させる乾燥運転をする加湿器は公知である（例えば特許文献１）。
【先行技術文献】
【特許文献】
【０００３】
【特許文献１】特開２００４−３４７２９７号公報
【発明の開示】
【発明が解決しようとする課題】
【０００４】
単独の加湿器では加湿材の乾燥運転をする加湿器は上記の通り公知である。しかし、現実には加湿空間中に複数の加湿器が設置されていることが多く、この加湿空間中に複数の加湿器が設置されている加湿空間中の加湿の制御及び各加湿器の乾燥運転の制御が課題となる。
【０００５】
例えば、加湿器の加湿材を乾燥させるために、加湿運転停止の入力を遠方制御装置から行うと複数の加湿器が同時に加湿運転停止となる。そのため複数の加湿器が同一の加湿空間で使用されている場合、一時的な加湿量及び湿度の落ち込みが避けられない。そこで、加湿器個々をそれぞれのタイミングで乾燥動作を行わせる機能を持つ装置の開発が望まれるという課題がある。
本発明は、上記課題に鑑み、複数の加湿器が設置されている加湿空間中のそれぞれの加湿器の加湿運転の制御及び各加湿器の加湿材の乾燥運転を制御する新規な加湿装置を提供するものである。
【課題を解決するための手段】
【０００６】
そのために、本発明加湿装置は、加湿空間中に複数台の加湿器が設置され、各加湿器が給水電磁弁と加湿材と加湿動作制御部と送風機とを備え、各加湿器が加湿運転中に給水電磁弁を閉止し、加湿材の乾燥運転を行う、という基本的な構成要件を有している。そして、本発明加湿装置にあっては、上記基本的な構成要件を有することを前提に、次のような構成要件をさらに備えたものとなっている。
【０００７】
各加湿器の加湿動作制御部にアドレスが設定され、アドレス順に一台づつ又は複数台の加湿器が一定の時間差で給水電磁弁を閉止し、乾燥運転を行うことを特徴としてある（請求項１対応）。
【０００８】
各加湿器の加湿動作制御部にアドレスが設定され、アドレス順に一台づつ又は複数台の加湿器が一定の時間差で一定時間加湿運転後に給水電磁弁を閉止し、乾燥運転を行う
ことを特徴としてある（請求項２対応）。
上記請求項１または請求項２を前提として、各加湿器が加湿運転と乾燥運転を繰返し行うことを特徴としてある（請求項３対応）。
【０００９】
加湿空間の湿度により加湿運転の指示がされると共に、一定時間の加湿運転中に加湿要求の指示停止による給水電磁弁の閉止の有無を検知し、電磁弁の閉止があった際には一定時間経過後に乾燥運転を行わない加湿器を含むことを特徴としてある（請求項４対応）。
加湿空間の湿度により加湿運転の指示がされると共に、一定時間の加湿運転中に加湿要求の指示停止による給水電磁弁が閉止されている時間が一定の閉止時間以上であった際には、一定時間経過後に乾燥運転を行わない加湿器を含むことを特徴としてある（請求項５対応）。
加湿空間の湿度により加湿運転の指示がされると共に、一定時間の加湿運転中に加湿要求の指示停止による給水電磁弁が閉止されている時間を積算し、閉止時間が一定の閉止時間以上であった際には一定時間経過後に乾燥運転を行わない加湿器を含むことを特徴としてある（請求項６対応）。
【発明の効果】
【００１０】
本発明加湿装置は、各加湿器の加湿材のぬめりや臭気の発生を阻止できる効果がある。
【００１１】
また、本発明加湿装置は、各加湿器の同時制御による加湿量、湿度の低下に比し、著しい加湿量、湿度の低下を防ぐことができ、加湿空間の加湿量及び湿度の低下を緩やかにすることができる効果がある。
【図面の簡単な説明】
【００１２】
【図１】本発明加湿装置のブロック構成図である。
【図２】本発明加湿装置の各加湿器にアドレス番号を付したブロック構成図である。
【図３】参考例１の制御シーケンスを示すフローチャート図である。
【図４】図３に示す参考例１のＯＮ．ＯＦＦ制御を示すタイムチャート図である。
【図５】本発明加湿装置の実施例１の制御シーケンスを示すフローチャート図である。
【図６】図５に示す実施例１のＯＮ．ＯＦＦ制御を示すタイムチャート図である。
【図７】参考例２の制御シーケンスを示すフローチャート図である。
【図８】図７に示す参考例２のＯＮ．ＯＦＦ制御を示すタイムチャート図である。
【図９】本発明加湿装置の実施例２の制御シーケンスを示すフローチャート図である。
【図１０】図９に示す実施例２のＯＮ．ＯＦＦ制御を示すタイムチャート図である。
【図１１】本発明加湿装置の実施例３の制御シーケンスを示すフローチャート図である。
【図１２】図１１に示す実施例３のＯＮ．ＯＦＦ制御を示すタイムチャート図である。
【図１３】本発明装置に含む加湿器の一例の制御シーケンスを示すフローチャート図である。
【図１４】図１３に示す加湿器のＯＮ．ＯＦＦ制御を示すタイムチャート図である。
【図１５】本発明装置に含む加湿器の別の例の制御シーケンスを示すフローチャート図である。
【図１６】図１５に示す加湿器のＯＮ．ＯＦＦ制御を示すタイムチャート図である。
【図１７】本発明装置に含む加湿器の更に別の例の制御シーケンスを示すフローチャート図である。
【図１８】図１７に示す加湿器のＯＮ．ＯＦＦ制御を示すタイムチャート図である。
【発明を実施するための形態】
【００１３】
図１に同一の加湿空間中に４台の加湿器を設置した実施例のブロック構成図を示してある。図中符号１が１つの加湿空間で、この１つの加湿空間１中に４台の加湿器２を設置してある。このそれぞれの加湿器２は給水電磁弁３と加湿材４と加湿動作制御部５と送風機６とを備え、それぞれの加湿器２は遠隔制御装置７によって制御される。即ち、加湿動作制御部５に給水電磁弁３を開放して加湿材４に給水し、同時に送風機６を回転作動する加湿運転を制御指令する。一方、加湿動作制御部５に給水電磁弁３を閉止し、そのまま送風機６を回転動作して加湿材４の乾燥運転を制御指令する。また、加湿動作制御部５は、自身の運転状態を遠隔制御装置７に送信する。
【００１４】
図面に示した実施例では、図２に示すようにそれぞれにアドレス番号♯０、アドレス番号♯１、アドレス番号♯２及びアドレス番号♯３が割り振られた４台の加湿器２が設置される。
図３に遠隔制御装置７から各加湿器２に同時に乾燥動作開始の信号が送信される参考例１の制御シーケンスを示すフローチャート図を示してある。そして図４に上記参考例１のＯＮ．ＯＦＦ制御を示すタイムチャート図を示してある。この図から理解される通り、アドレス番号♯０、アドレス番号♯１、アドレス番号♯２及びアドレス番号♯３の各加湿器２が遠隔制御装置７からの運転指令送信により同時にＯＮ作動して加湿運転し、同時に給水電磁弁３の弁閉止の信号指令を受け、全ての加湿器２の給水電磁弁３が閉止され、送風機６はそのまま作動して加湿材４の乾燥運転を行う。
この全ての加湿器２の乾燥動作を同時制御により行うと著しい加湿量、湿度の低下が起こり好ましくない。
【００１５】
図５に図１乃至図４に示した４台の加湿器２を有する本発明実施例１の制御シーケンスを示すフローチャート図を示してある。この実施例１では各４台の加湿器２が同時にＯＮ作動して加湿運転し、次に各加湿器２の給水電磁弁３を閉止し、即ちアドレス番号♯０から順にアドレス番号♯３まで１台づつ一定の時間差を置いて給水電磁弁３を閉止し、加湿材４の乾燥運転を行う。
図６にこの実施例１の加湿装置の給水電磁弁３のＯＮ．ＯＦＦ制御の時間差を示すタイムチャート図を示してある。即ち、アドレス番号♯０の加湿装置から順にアドレス番号♯３の加湿装置まで一定の時間差を置いて加湿材４の乾燥運転が行われる。これにより、著しい加湿量、湿度の低下が起こりにくい。
【００１６】
図７、図８に図１及び図２に示した4台の加湿器２を有する別の参考例２を示してある。
この例では各4台の加湿器２が同時にON作動して加湿運転を行う。その後4台のうち何れか一台でも一定の運転時間（A１時間）を経過すると加湿動作制御部５から遠隔制御装置７に＜運転時間が一定時間を経過した＞という信号を送信する。遠隔制御装置７はその信号を受け取ると、全ての加湿器２の加湿動作制御部５に給水電磁弁閉止の信号を送信する。弁閉止の信号を受け取った全ての加湿器２の加湿動作制御部５は加湿動作制御部内にあらかじめ定められた順番で一台づつ又は複数台が一定の時間差（B１時間）で、加湿材４の乾燥運転を行う。
この参考例２および前記実施例１では、各加湿器２が加湿運転と乾燥運転を繰り返し行うことができる。
【００１７】
図９、図１０に図１及び図２に示した4台の加湿器２を有する別の実施例２を示す。
この例では各4台の加湿器２が同時にON作動して加湿運転を行う。弁閉止の信号を受け取った全ての加湿器の加湿動作制御部５は、全ての加湿器２の加湿動作制御部５はアドレス設定をもとにアドレス順に一台づつ又は複数台が一定の時間差（B１時間）で給水電磁弁３を閉止し加湿材４の乾燥運転を行う。
【００１８】
図１１、図１２に図１及び図２に示した4台の加湿器２を有する別の実施例３を示す。
この例では各4台の加湿器２が同時にON作動して加湿運転を行う。その後4台のうち何れか一台でも一定の運転時間（A１時間）を経過すると加湿動作制御部５から遠隔制御装置７に＜運転時間が一定時間を経過した＞という信号を送信する。遠隔制御装置７はその信号を受け取ると、全ての加湿器２の加湿動作制御部５に給水電磁弁閉止の信号を送信する。弁閉止の信号を受け取った全ての加湿器の加湿動作制御部５はアドレス設定をもとにアドレス順に一台づつ又は複数台が一定の時間差（B１時間）で給水電磁弁３を閉止し加湿材４の乾燥運転を行う。
この実施例３では、各加湿器２が加湿運転と乾燥運転を繰り返し行うことができる。
【００１９】
加湿空間に複数の加湿器２が設置され、各加湿器２が加湿運転中に給水電磁弁３を閉止し乾燥運転を行う加湿動作制御部５を備える
加湿空間の湿度により加湿運転の指示がされる加湿装置において一定時間の加湿運転中に加湿要求の指示停止による給水電磁弁３の閉止の有無を検知し、給水電磁弁３の閉止があった際には一定時間経過後に乾燥運転を行わない加湿器を次に示す。
図１３、図１４に、加湿装置の加湿空間の湿度により加湿運転の指示がされる加湿器２において、一定時間（A１時間）の加湿運転中にて給水電磁弁３の閉止の有無を検知し、給水電磁弁３の閉止がなかった場合は一定時間の加湿運転経過後に乾燥運転を行い、逆に弁閉止があった場合には一定時間の加湿運転経過後に乾燥運転を行わない加湿器２のフローチャート図とタイムチャート図を示す。
【００２０】
加湿空間の湿度により加湿運転の指示がされる加湿器２において、一定時間の加湿運転中に加湿要求の指示停止による給水電磁弁３が閉止されている時間が一定の閉止時間以上であった際には、一定時間経過後に乾燥運転を行わない加湿器を次に示す。
図１５、図１６に、加湿装置の加湿空間の湿度により加湿運転の指示がされる加湿器２において、一定時間（A１時間）の加湿運転中に加湿要求の指示停止による給水電磁弁３の閉止時間（ΔT）が一定時間未満であった場合には一定時間の加湿運転経過後に乾燥運転を行い、逆に一定時間以上弁閉止があった場合には一定時間の加湿運転経過後に乾燥運転を行わない加湿器のフローチャート図とタイムチャート図を示す。
【００２１】
加湿空間の湿度により加湿運転の指示がされる加湿器２において、一定時間の加湿運転中に加湿要求の指示停止による給水電磁弁３が閉止されている時間を積算し、閉止時間が一定の閉止時間以上であった際には一定時間経過後に乾燥運転を行わない加湿器を次に示す。
図１７、図１８に、加湿装置の加湿空間の湿度により加湿運転の指示がされる加湿器２において、加湿空間の湿度により加湿運転の指示がされる加湿器において一定時間（A１時間）の加湿運転中にて給水電磁弁３の閉止時間（ΔT）を積算しその積算時間が一定時間未満であった場合には一定時間の加湿運転経過後に乾燥運転を行い、逆に一定時間以上弁閉止があった場合には一定時間の加湿運転経過後に乾燥運転を行わない弁閉止があった場合には一定時間の加湿運転経過後に乾燥運転を行わない加湿器２のフローチャート図とタイムチャート図を示す。
【符号の説明】
【００２２】
１ １つの加湿空間
２ 加湿装置
３ 給水電磁弁
４ 加湿材
５ 加湿動作制御部
６ 送風機
７ 遠隔制御装置
【図１】
0005658653.tif 000002
【図２】
0005658653.tif 000003
【図３】
0005658653.tif 000004
【図４】
0005658653.tif 000005
【図５】
0005658653.tif 000006
【図６】
0005658653.tif 000007
【図７】
0005658653.tif 000008
【図８】
0005658653.tif 000009
【図９】
0005658653.tif 000010
【図１０】
0005658653.tif 000011
【図１１】
0005658653.tif 000012
【図１２】
0005658653.tif 000013
【図１３】
0005658653.tif 000014
【図１４】
0005658653.tif 000015
【図１５】
0005658653.tif 000016
【図１６】
0005658653.tif 000017
【図１７】
0005658653.tif 000018
【図１８】
0005658653.tif 000019